(57)【要約】      （修正有）【課題】リール構造により紐体などの連結材の長さを調節して引っ掛け対象の間の距離を任意に設定して，手荷物などを望ましい高さに吊るす吊り具を提供する。【解決手段】リールユニット（１）はリール２に紐体１の終端が連結されており，リールは右回転で紐体を巻き戻し，紐体を引き出すと左回転する。リール２，ギヤ３，ラチェツト４は一体，又は連結されているため一体回転する。ラチェツト４はラチェツト制御ボタン１３が押下さない状態では，ラチェツト爪１１がラチェツト４の回転阻止歯に係合してリール２，ギヤ３は左回転を阻止され，紐体１の引き出しは出来ない。さらにこの状態は，ギヤ３がリールユニット（２）のギヤ８に連結しているため，ギヤ８，リール７は右回転が阻止され，紐体６の引き出しも阻止されるため，紐体２ならびに紐体６の長さが保持され，手荷物をパイプなどに引っ掛けた状態で，手荷物は所定の高さに吊り下げ維持される。【選択図】図１
0003139654.tif 000002
【実用新案登録請求の範囲】
【請求項１】
リール，ギヤなどから成る二組のリールユニットで構成され，それぞれのリールは所定の長さの紐体の終端が連結され，ギヤ構造で相互に連結されているため，リールの回転によりそれぞれの紐体が共に引き出され，共に巻き戻され，かつ，一方または両方のリールユニットに，紐体の引き出し時にリールに対して巻き戻し方向への回転弾性を蓄積する回転付与機構を備え，いずれか一方のリールユニットに，リールの回転を阻止するロツク機構，およびロツク機構の作用を解除する解除手段を備えるとともに，前記それぞれの紐体の先端に，紐体の引き出し，巻き込み用の開口を通過し得ないサイズに形成して紐体の超過巻き戻しを防止し，かつ紐体でループを形成する係止部を設け，形成されるループにより手荷物の取手やパイプなどの引っ掛け対象を吊るす場合に，設定し易い高さで紐体の引き出し長さを設定でき，かつ，多様なサイズ，形状の引っ掛け対象への引っ掛けが可能な，軽量，小型で，携帯性に優れた手荷物フッカー。
【請求項２】
紐体の一方，または両方に巻尺用の目盛りを記すことにより，紐体を簡易巻尺としても利用可能な請求項１に記載の軽量，小型で，携帯性に優れた手荷物フッカー。
【考案の詳細な説明】
【技術分野】
【０００１】本考案は，リール，ギヤなどから成る二組のリールユニットで構成され，リールに連結される紐体を引き出し，手荷物の取手やパイプなどの引っ掛け対象を紐体で形成するループで吊るす，軽量，小型で，携帯性に優れた手荷物フッカーに関する。
【背景技術】
【０００２】手荷物を持って移動している場合などに，手荷物による重さからの開放や，手を自由に使うために，身近な引っ掛け部に手荷物を簡易的に吊したいと思うことが多い。手荷物などを吊るす場合，手荷物の形状や重量，内容によっては，床の近くに吊るすことが望ましい場合が有るものの，邪魔にならない高さに吊り下げたい希望も有るなど，吊るし高さを最適に選ぶ必要があり，巻尺に類似したリール構造により紐体などの連結材の長さを調節できる吊り具が種々提案されている。しかし，かかる吊り具は，リール構造を有する吊り具本体と紐体の先端部にそれぞれ形成される引っ掛けフックを，手荷物の取手やパイプなどの引っ掛け対象に引っ掛けて吊るすため，紐体の長さ調節機能を有する吊り具本体が，引っ掛け対象の近傍に配置されるため，高すぎたり，低すぎたりして，吊るし高さを設定し難い位置となる。また，フックは手荷物やパイプなど引っ掛け対象の形状，サイズによっては，適用可能な引っ掛け対象が限られる傾向が有るとともに，携帯性を高めるために，吊り具本体を小型化することにより引っ掛けフックも小型化され，引っ掛け対象のサイズや形状が制約される場合が多くなるなど，種々の課題を有している。
【考案が解決しようとする課題】
【０００３】手荷物などをパイプなどに吊るす吊り具に関して，リール構造により紐体などの連結材の長さを調節して引っ掛け対象の間の距離を任意に設定して，手荷物などを望ましい高さに吊るす構造とし，かつ手荷物などを吊るした状態で紐体の長さ設定機能を有する吊り具本体を設定し易い高さに位置させるとともに，多様なサイズや形状の引っ掛け対象への適用が可能な，軽量，小型で，携帯性に優れた吊り具を実現する。
【課題を解決するための手段】
【０００４】リール，ギヤなどから成る二組のリールユニットで構成され，それぞれのリールは所定の長さの紐体の終端が連結され，ギヤ構造で相互に連結されているため，リールの回転によりそれぞれの紐体が共に引き出され，共に巻き戻され，かつ，いずれか一方または両方のリールユニットに，紐体の引き出し時にリールに対して巻き戻し方向への回転弾性を蓄積する回転付与機構を備え，いずれか一方のリールユニットに，リールの回転を阻止するロツク機構，およびロツク機構の作用を解除する解除手段を備えるとともに，前記それぞれの紐体の先端に，紐体の超過巻き戻しを防止し，かつ紐体でループを形成する係止部を設け，形成されるループにより手荷物の取手やパイプなどの引っ掛け対象を吊るす手荷物フッカー。
【考案の効果】
【０００５】相互にギヤ構造で連結された二個のリールと，それぞれのリールに所定の長さの紐体の終端が連結され，リールの回転によりそれぞれの紐体が共に引き出され，共に巻き戻される構成により，紐体の長さを設定する手荷物フッカー本体は，常に紐体の中央に位置するため，高すぎることも，低すぎることもなく，紐体の長さの設定がし易い状態を常に確保できる。
【０００６】紐体の引き出し時に巻き戻し方向への回転弾性を蓄積する回転付与機能を備え，いずれか一方のリールに，回転を阻止するロツク機構，およびロツク機構の作用を解除する解除手段を備えるため，紐体の引き出し，長さ設定，吊り下げ固定，ならびに巻き戻しなどを極めて簡単，確実に行うことが出来る。
【０００７】さらに，紐体の先端に設けられた係止部により，手荷物やパイプなどの引っ掛け対象に紐体でループを形成して吊るすため，パイプの太さなどに影響され難く，多様なサイズや形状の引っ掛け対象への適用が可能あるなど，手荷物などの吊り具として適用範囲が広い。一般的な引っ掛けフックの場合，適用範囲を広げるためには，フックのサイズを大きくしなければならず，吊り具自体が大きくなり携帯に向かない。また，係止部は紐体の引き出し，巻き込み用の開口を通過し得ないサイズに形成されるため，紐体の超過巻き戻しを防止する機能も備えている。
【考案を実施するための最良の形態】
【０００８】図１は本考案による手荷物フッカーの機構構成を示す概念図である。リールユニット（１）は紐体１を巻き込むリール２，ギヤ３，ラチェツト４が一体または連結構成されて，回転軸５に実装されている。リールユニット（２）は紐体６を巻き込むリール７，ギヤ８，回転付与機構９で一体または連結構成されて，回転軸１０に実装されている。１１はラチェツト爪，１２はラチェツト爪の戻しバネ，１３はラチェツト制御ボタンである。【０００９】リールユニット（１）はリール２に紐体１の終端が連結されており，リールは右回転で紐体を巻き戻し，紐体を引き出すと左回転する。リール２，ギヤ３，ラチェツト４は一体，又は連結されているため一体回転する。ラチェツト４はラチェツト制御ボタン１３が押下さない状態では，ラチェツト爪１１がラチェツト４の回転阻止歯に係合してリール２，ギヤ３は左回転を阻止され，紐体１の引き出しは出来ない。さらにこの状態は，ギヤ３がリールユニット（２）のギヤ８に連結しているため，ギヤ８，リール７は右回転が阻止され，紐体６の引き出しも阻止されるため，紐体２ならびに紐体６の長さが保持され，手荷物をパイプなどに引っ掛けた状態で，手荷物は所定の高さに吊り下げ維持される。【００１０】ラチェツト制御ボタン１３が押下された状態では，ラチェツト爪１１がラチェツト４の回転阻止歯から外れるため，リール２ならびにリール７は回転自在となり紐体の引き出し，巻き戻しが可能な状態になる。リールユニット（２）には，紐体の引き出し時にリール７の巻き戻し方向への回転弾性を蓄積するゼンマイによる回転付与機構９が組み込まれているため，引き出されている紐体に懸かる負荷が回転付与機構に蓄積された巻き戻し方向への回転弾性より軽い状態では，ゼンマイが蓄えた付勢力により，リール２は右回転，リール７は左回転して，紐体１および６はそれぞれのリール２，７に巻き戻される。なお，ラチェツトはリールユニット（１），リールユニット（２）の何れか一方に組み込み，回転付与機構は一方または両方に組み込む。【００１１】図２は紐体の先端の係止部１４により，紐体でループ形成して，手荷物をパイプ１５などの引っ掛け対象に吊るした状態の概念図である。係止部は紐体の引き出し，巻き込み用の開口１６を通過し得ないサイズに形成されるため，紐体の超過巻き戻しを防止する機能も備えている。２０は手荷物フッカーの本体を示し，１３はラチェツト制御ボタンである。【００１２】図３は係止部１４示す外観斜視図であり，紐体を係止部１４のスリット１８に嵌めこんでループを形成する。１７は紐体を傷つけないための緩衝材，１９は係止部の紐体への取り付け材である。このように本考案による引っ掛け構造は，紐体を使用してループを形成するため，手荷物の取手やパイプなどの引っ掛け対象のサイズ，形状には制約され難いとともに，係止部は小型なため，手荷物フッカーの小型化が可能であり，係止部を手荷物フッカーの本体２０に取り付けたり固定する必要はない。
【実施例】
【００１３】本考案の具体的な実施例を以下に示す。ラチェツト，ラチェツト爪，ギヤは磨耗を考慮してアルミ材で形成し，リール，筺体などは合成樹脂材，回転付与機構は鋼ゼンマイ，紐体は強度と軟性を考慮してガラス繊維入り塩化ビニール帯，係止部はアルミダイキャスト，緩衝材はテフロン材で構成し，紐体は幅１２ｍｍ，厚み１．５ｍｍ，長さ１ｍ，手荷物フッカー本体は，縦×横×厚は４５×６０×２０ｍｍで構成した。実施例ではリールユニット（１）ならびにリールユニット（２）のギヤ径，リール径，紐体の長さなどを同一としたため，手荷物フッカー本体は常に紐体の中央に位置し，紐体の引き出し長さは上下対称となる。【００１４】リールユニット（１）ならびにリールユニット（２）のギヤ径，リール径，紐体の長さなどを同一とせず，適切な差を持たせて，紐体の長さを非対称にして，片側を他方より短くすることにより，手荷物フッカー本体の位置を紐体の中央ではなく，偏らせることも可能である。係止部の構造に関しては，ループ形成時に紐体が簡単に外れないようにロツク構造とすること，紐体の係止部近傍に移動可能な係止部受け部材を設けて，紐体を直接係止部に引っ掛けない構成も可能である。また，一般的なフックや机の角に引っ掛ける鉤型フックを手荷物フッカー本体の側面に装着して，必要な時に外して，紐体の係止部に連結して使用することにより，携帯時にフックが邪魔にならず，手荷物フッカーの利用範囲を広くすることも可能である。また，紐体に巻尺目盛りを記すことにより，簡易巻尺としても利用できる。さらに，各種素材，ディメンジョンなどは本実施例に限定される事は無く，本考案の趣旨を逸脱しない範囲であれば，種々変形実施が可能である。
【図面の簡単な説明】
【００１５】
【図１】手荷物フッカーの機構構成の概念図を示す。
【図２】紐体で形成したループで引っ掛け対象に吊るす概念図を示す。
【図３】係止部の外観斜視図を示す。
【符号の説明】
１  リールユニット（１）の紐体      １６  紐体の開口
２  リールユニット（１）のリール    １７  緩衝材
３  リールユニット（１）のギヤ      １８  紐体挿入隙間
４  ラチェツト                      １９  取り付け材
５  リールユニット（１）の回転軸    ２０  手荷物フッカー本体
６  リールユニット（２）の紐体
７  リールユニット（２）のリール
８  リールユニット（２）のギヤ      （１）リールユニット
９  回転付与機構                    （２）リールユニット
１０  リールユニット（２）の回転軸
１１  ラチェツト爪
１２  バネ
１３  ラチェツト制御ボタン
１４  係止部
１５  パイプ
【図１】
0003139654.tif 000003
【図２】
0003139654.tif 000004
【図３】
0003139654.tif 000005
【手続補正書】
【提出日】平成19年10月25日(2007.10.25)
【手続補正１】
【補正対象書類名】明細書
【補正対象項目名】００１４
【補正方法】変更
【補正の内容】
【００１４】それぞれの紐体ごとにループを形成して個々にパイプや手荷物を吊るす利用形態には限定されず，それぞれの紐体の先端に取り付けられる係止部を，相互に結合し易い向き，形状に構成して，係止部同士を結合して一つのループを形成し，一つのループでパイプや手荷物などの吊り下げ対象を吊り下げる利用形態も有効である。リールユニット（１）ならびにリールユニット（２）のギヤ径，リール径，紐体の長さなどを同一とせず，適切な差を持たせて，紐体の長さを非対称にして，片側を他方より短くすることにより，手荷物フッカー本体の位置を紐体の中央ではなく，偏らせることも可能である。係止部の構造に関しては，ループ形成時に紐体が簡単に外れないようにロック構造とすること，紐体の係止部近傍に移動可能な係止部受け部材を設けて，紐体を直接係止部に引っ掛けない構成も可能である。また，一般的なフックや机の角に引っ掛ける鉤型フックを手荷物フッカー本体の側面に装着して，必要な時に外して，紐体の係止部に連結して使用することにより，携帯時にフックが邪魔にならず，手荷物フッカーの利用範囲を広くすることも可能である。また，紐体に巻尺目盛りを記すことにより，簡易巻尺としても利用できる。さらに，各種素材，ディメンジョンなどは本実施例に限定される事は無く，本考案の趣旨を逸脱しない範囲であれば，種々変形実施が可能である。
【手続補正書】
【提出日】平成19年11月22日(2007.11.22)
【手続補正１】
【補正対象書類名】実用新案登録請求の範囲
【補正対象項目名】全文
【補正方法】変更
【補正の内容】
【実用新案登録請求の範囲】
【請求項１】
リール，ギヤなどから成る二組のリールユニットで構成され，それぞれのリールは所定の長さの紐体の終端が連結され，ギヤ構造で相互に連結され，リールの回転によりそれぞれの紐体が引き出され，または巻き戻され，かつ，一方または両方のリールユニットに，紐体の引き出し時にリールに対して巻き戻し方向への回転弾性を蓄積する回転付与機構を備え，いずれか一方のリールユニットに，リールの回転を阻止するロツク機構，およびロツク機構の作用を解除する解除手段を備えるとともに，前記それぞれの紐体の先端に，紐体の引き出し，巻き込み用の開口を通過し得ないサイズに形成して紐体の超過巻き戻しを防止し，かつ紐体でループを形成する係止部を設け，形成されるループにより手荷物の取手やパイプなどの引っ掛け対象を吊るす場合に，設定し易い高さで紐体の引き出し長さを設定でき，かつ，多様なサイズ，形状の引っ掛け対象への引っ掛けが可能な，軽量，小型で，携帯性に優れた手荷物フッカー。
【請求項２】
紐体の一方，または両方に巻尺用の目盛りを記すことにより，紐体を簡易巻尺としても利用可能な請求項１に記載の軽量，小型で，携帯性に優れた手荷物フッカー。
【手続補正２】
【補正対象書類名】明細書
【補正対象項目名】０００４
【補正方法】変更
【補正の内容】
【０００４】リール，ギヤなどから成る二組のリールユニットで構成され，それぞれのリールは所定の長さの紐体の終端が連結され，ギヤ構造で相互に連結され，リールの回転によりそれぞれの紐体が引き出され，または巻き戻され，かつ，いずれか一方または両方のリールユニットに，紐体の引き出し時にリールに対して巻き戻し方向への回転弾性を蓄積する回転付与機構を備え，いずれか一方のリールユニットに，リールの回転を阻止するロツク機構，およびロツク機構の作用を解除する解除手段を備えるとともに，前記それぞれの紐体の先端に，紐体の超過巻き戻しを防止し，かつ紐体でループを形成する係止部を設け，形成されるループにより手荷物の取手やパイプなどの引っ掛け対象を吊るす手荷物フッカー。
【手続補正３】
【補正対象書類名】明細書
【補正対象項目名】０００５
【補正方法】変更
【補正の内容】
【０００５】相互にギヤ構造で連結された二個のリールと，それぞれのリールに所定の長さの紐体の終端が連結され，リールの回転によりそれぞれの紐体が引き出され，または巻き戻される構成により，紐体の長さを設定する手荷物フッカー本体の位置は，基本的には中央に配置されるため，高すぎることも，低すぎることもなく，紐体の長さの設定がし易い状態を確保できる。
【手続補正４】
【補正対象書類名】明細書
【補正対象項目名】００１４
【補正方法】変更
【補正の内容】
【００１４】それぞれの紐体ごとにループを形成して個々にパイプや手荷物を吊るす利用形態には限定されず，それぞれの紐体の先端に取り付けられる係止部を，相互に結合し易い向き，形状に構成して，係止部同士を結合して一つのループを形成し，一つのループでパイプや手荷物などの吊り下げ対象を吊り下げる利用形態も有効である。また，係止部の構造に関しては，ループ形成時に紐体が簡単に外れないようにロック構造とすること，紐体の係止部近傍に移動可能な係止部受け部材を設けて，紐体を直接係止部に引っ掛けない構成も可能である。また，一般的なフックや机の角に引っ掛ける鉤型フックを手荷物フッカー本体の側面に装着して，必要な時に外して，紐体の係止部に連結して使用することにより，携帯時にフックが邪魔にならず，手荷物フッカーの利用範囲を広くすることも可能である。また，リールユニット（１）とリールユニット（２）の位置関係を一時的にずらして，相互のギヤの噛み合わせを外し，連結を解除する連結解除機構を付加することにより，連結が解除されている状態では相互のリールは独立に回転が可能となり，引き出す紐体の長さを非対称にして，手荷物フッカー本体を紐体の任意の位置に，設定できるとともに，リール上での紐体の弛みを補正することも出来る。紐体に巻尺目盛りを記すことにより，簡易巻尺としても利用できる。さらに，各種素材，ディメンジョンなどは本実施例に限定される事は無く，本考案の趣旨を逸脱しない範囲であれば，種々変形実施が可能である。